Podtech/llm-jp-corpus-v4-ja_patent huggingface dataset:
(57)【要約】【課題】携帯電話の大きさは大体同じであるが使用する側は大人小人といろいろで、メールなどは片手で作成するのが通例である、現行の携帯電話器本体が掌中で不安定なのでメールなど作成しにくい、これを安定させて、安心して容易に作成できるようにしたい。【解決手段】操作ボタンのある面の背面で手の平と合う面を背面部とすると、背面部は出来るだけ拇指根並びに掌心から離れ、他の４本の指と密着させると、主たる操作指である拇指の動作が楽になるので、拇指を除く４本の指が背面部と近接し密着する方法を考えると良い。【選択図】図１
2007215146.tif 000002
【特許請求の範囲】
【請求項１】
携帯電話器を片手で持ち、メールの作成や番号などのキーを打つとき、操作し易くし、都合のよい位置にまたはその状態に携帯電話本体を安定保持出来るために、携帯電話器の背面部に付帯パーツを取り付ける。
【請求項２】
付帯パーツは拇指を除く４本までの指と操作面の背面部とが密着し、操作時主たる操作指である拇指は限りなく操作面に直角で、拇指根は操作面から限りなく離れて位置するための固定具であること。
【請求項３】
固定具はまず携行に邪魔にならないものであり、内臓タイプは９０度開く蝶番であり、外付タイプは組み込みや面ファスナーによるものであること。尚、面ファスナーの二次的特徴として微調整と脱着の容易なことである。
【発明の詳細な説明】
【技術分野】
【０００１】  本発明は携帯電話器の使用時、特にメール作成時の安定保持の利便に関するものである。
【背景技術】
【０００２】  従来の携帯電話器には付帯されていないものである、従って関係文献等はないものと思われる。
【発明の開示】
【発明が解決しようとする課題】
【０００３】  携帯電話器が著しい進化を続ける中にあって、その形状は世界的には集約され大同小異の模様、  使用時の状態をみても、使用方法も大略同じといっても過言ではない。【０００４】  使用中の動作をみるに、メール作成時は、特に不安定である、これは携帯電話器本体の安定感によるように思う、手の中は、皆それぞれ違う、手の大きさ、指の長さ、太さで違う、器用さや、不器用さもあるであろう、それなのに電話器本体の大きさは大略同じである。【０００５】  携帯電話器本体が、大きさの異なる手の中で、ある程度固定または安定させることが出来たら、動作や操作がし易すく、正確にかつ能率的な操作が出来るのではないかと考える。本発明は操作中に、はずみで落下させることもなくなり、安心しつつ、かつ迅速に、正確に操作ができることを目的とするものである。
【課題を解決するための手段】
【０００６】  操作ボタンのある面を操作面部、その背面で手の平と合う面を背面部とすると、操作面部はできるだけ拇指ならびに拇指根から離し、背面部は他の４本の指と密着させる、このことにより、操作面と主たる操作指である拇指が直角に交わり、動作がらくになる。本発明は上記目的を達成するために、次の固定具を少なくても１つ背面部に設ける。その固定具の種類と固定法を次に列記する。【０００７】  固定具は指間や指にはまって電話器本体と手が一体となるのが目的である、従って、固定具の種類として（１）突起状のものを１個以上設ける。  （２）９０度形板状物を１個以上設ける。  （３）９０度形蝶番を１個以上設ける。  （４）指１本以上が入るメタル、プラスチック、ゴム、革、布、ベルト状のオーリング。【０００８】  固定具の電話器本体への固定方法として
（１）    ビルトイン形式（パーツとして内臓）と、
（２）    外付形式（用品またはオプションパーツとして）とがある。
（イ）        接着剤による接合方法
（ロ）        面ファスナーによる接合方法
（ハ）        ネジ、スプリング、かん合による接合方法
あるいはこれらを重複して使用する場合もある。【０００９】以上の様な保持機能の直接指にあたる固定具を総称してフックと呼ぶと、フックがあると電話器本体は拇指を除く他の指と共に保持安定し、主たる操作指である拇指は自由に操作面上を縦横無尽にかつ迅速に各キーを正確に操作することが出来て、目的を達成することができる。【００１０】  ただし、フックは操作上の便益の話であり、電話器本体の格納や携行にフックが邪魔にならない措置をとりたい。  そのためには、上記内臓形式で９０度形蝶番のように、操作が終わって蝶番を折りたたむと、電話器本体の外見上は、従来通りの形体であるのが望ましい。
【発明の効果】
【００１１】  上述のように本発明の保持具を用いると拇指が自由になり、窮屈さが無くなり、どのキーも同じ条件で押すことが出来、楽に、疲れずに、早く、正確に操作ができる。これは手の大小に拘わらずその効果が得られるものである。
【発明の実施するための最良の形態】
【００１２】  固定具をそれぞれ用に供すべくセットし、それぞれ指を添え又は挿入し、準備を終えメール等の作成に入る。
【図面の簡単な説明】
【００１３】
【図１】  携帯電話の背面部に内臓した９０度だけ開くメタル蝶番の固定具を付帯した見取り図で、サイズは約１ｘ３センチで指間に収まるもの。
【００１４】
【図２】  携帯電話の背面部に面ファスナーで接着した弾力のある布製オーリングの固定具を付帯した見取り図で、サイズは指が３本から４本入るのが良く、巾は３から４センチが良い。
【００１５】
【図３】  携帯電話の背面部に接合したリングで使わない時は横に倒して携行に不便を感じさせない、指が１本から２本入る固定具を付帯した見取り図。
【００１６】
【図４】  背面部に固定具を取り付けた携帯電話本体でメールを作成している図、主たる操作指である拇指が操作面に直角であり、拇指根が操作面から離れているのが良く分かる。
【符号の説明】
【００１７】    １          携帯電話本体
２          携帯電話背面部
３          固定具、９０度形メタル蝶番内臓形式
４          固定具、ベルトオーリング、面ファスナー接着式
５          固定具、ハードリング、接着横倒し可
６          携帯電話操作面部
７          拇指根
【図１】
2007215146.tif 000003
【図２】
2007215146.tif 000004
【図３】
2007215146.tif 000005
【図４】
2007215146.tif 000006
(57)【要約】      （修正有）【課題】今までの規格にこだわらないで新たな加工法や新規格によって箱詰めし輸入することによって消費者に見えていなかった部分肉まで見える様にし、安心してすべての人に提供できる加工法を提供する。【解決手段】ＢＳＥの原因要素をすべて取り除いた、肩ロース１、モモ２、バラ４、ウデ３、ロース５、ヒレ肉６などを小さくカットし多肉を詰め合わせ、１０〜２５kgを１セットにし、それの２個入りを１箱にする。【選択図】図１
2007215528.tif 000002
【特許請求の範囲】
【請求項１】
牛肉に関して肩ロースやモモ、バラ、腕肉、（ロース、ヒレを含む可能性あり）をすみずみまでスジ引きをしたものを混合し、さらに小さくカットしたものを通常の規格外の、新規格である１０〜２５ｋｇを一セットにしそれの２個入り２０〜２５ｋｇの製品（希望）を作り出す。あくまでも危険部位（骨付き肉）は入れない。
【発明の詳細な説明】
【技術分野】
【０００１】本発明は安全な牛肉つまりＢＳＥを避けるため、ホルスタインのメス（未経産）や去勢した牛は使用しない、交雑種類の去勢、未経産の牛や又アンガース類の去勢、未経産、さらに２０ヶ月未満、アメリカ、カナダ産、又他国の産は２５ヶ月〜２７ヶ月を使用、尚、法律が変われば、メス牛には一産までは使用する可能性がある。
【特許文献１】
【非特許文献１】
【背景技術】
【０００２】従来の輸入用のカットは各部分ごとにある程度きめられた大きさにして冷凍又は冷蔵にして輸入し、国内の食肉業者の手によって必要な部分のみを店当販売し、後の残ったものはいろんな部位と混ぜ、学校給食や保育園、病院、社員食堂用などに販売されていた
【発明の開示】
【発明が解決しようとする課題】
【０００３】▲１▼ＢＳＥをさける為に、ホルスタイン未経産や去勢した牛、又は骨付き肉やスネ肉、ネック肉、さらにハラミ、ヒレサガリなどは使用していないので安全が約束できる
▲２▼一頭の牛のいろんな部分を小さく小分けすることによっていろんな部分の肉が楽しめる
▲３▼今まで輸入されていた肉はスジ引きが、なされていないので一反食肉業者の手によって加工が必要だったが、すべての肉がすみずみまでスジ引きがしてあるので、そのまま学校給食や病院、保育園、スーパー等食用販売に直接納める事が出来る
▲４▼１箱の重量も２０〜２５ｋｇの範囲なのでだれでも持ちやすくなった
▲５▼いろんな部分が入っているのでいろんな料理が楽しめる
【課題を解決するための手段】
【０００４】食肉業界のプロ達が、各国に出向いて現地の牧場や処理施設などにおいて、牛の肥育や加工法、規格などを指導し安心、安全な物を日本に持って来る為、消費者に美味しい肉
が提供出来ひいては、子供たちへの食育にも貢献できると思われる。
【発明の効果】
【０００５】ホルスタインのメスで、未経産や去勢してないものを使用しないことによってＢＳＥの危険から一切避けることが出来る
【発明を実施するための最良の形態】
【０００６】イ、今までの規格内の大きさを小さくカットする。
ロ、肩ロース、モモ、バラ、腕（中にはロース、ヒレ肉も混入する可能性あり）肉などをケースに入れる重量。重量１０〜１２，５ｋｇを１セットにしそれの二個入りを１箱とする。
ハ、ケースの大きさはあくまで目安で輸入用に変更することもある。【０００７】「実施形態の効果」
現地で肥育から加工までを日本の業界のプロが監視、指導し、さらにすべての部分の肉を現地でスジ引きして新しい加工法や規格で輸入するので安心安全であり業者や消費者からも喜ばれ子供たちへの食育にも貢献できると思われる。【０００８】「他の実施形態」
図１の実施形態では６種の部位が入って１０〜１２，５ｋｇとなっているが、それぞれの国の基準重量に合わせる事もあるので、例えばポンド基準の場合もありうる。
【産業上の利用可能性】（０００＊］）
【図面の簡単な説明】
【０００９】
【図１】本発明の一実施形態を示す斜視図である。
【図２】従来技術を示す斜視図である。
【符号の説明】
【００１０】１，肩ロース  ２，モモ  ３，ウデ  ４，バラ  ５，ロース  ６，ヒレ
【図１】
2007215528.tif 000003
【図２】
2007215528.tif 000004
(57)【要約】【課題】  本技術は蟻とアブラムシが共生して生活していることに着目したもので、蟻とアブラムシの共生をくい止めることにより、蟻の食料供給を止め同時にアブラムシの発生をも抑えようとするものである。【解決手段】  本発明は、粘着剤を用いた蟻の通過経路遮断方式による蟻退治法である。テープ状の上面に粘着剤が塗布されて、そのテープの裏面には凹凸のある面に貼り付ける場合に備えて、蟻が通過する隙間が生じないようにスポンジ状のものを貼り付けてある。スポンジ状の上にも接着剤が塗布されて、樹木などの対象物に貼り付けられるようになっている。蟻はテープ上を通過することはできなくなり、後続する蟻道を遮断することができる技術に関するものである。【選択図】図１
2007215524.tif 000002
【特許請求の範囲】
【請求項１】
本技術は粘着剤を用いた蟻の通過経路遮断方式による蟻退治法である。テープ状の上面に粘着剤が塗布されて、そのテープの裏面には凹凸のある面に貼り付ける場合に備えて、蟻が通過できる隙間が生じないようにスポンジ状のものを貼り付けてある。スポンジ状の上にも接着剤が塗布されており、樹木等の対象物に貼り付けられるようになっている。これにより、蟻はテープ上を通過しようとすると粘着剤に張り付くため、後続する蟻は危険を察して通過しようとしない。
【発明の詳細な説明】
【技術分野】
【０００１】  本発明は、テープ状の上面に蟻が粘着する剤が塗布されて、そのテープの裏面には凹凸のある面に貼り付ける場合に備えて、蟻が通過する隙間が生じないようにスポンジ状のものを貼り付けてある。スポンジ状の上にも接着剤が塗布されて、対象物に貼り付けられるようになっている。蟻はテープ上を通過することはできなくなり、後続する蟻道を遮断することができる技術に関するものである。
【背景技術】
【０００２】  従来は、殺虫剤、ホルモン剤等の方式で蟻を殺そうとする技術で対応している。これらの方法では、蟻を直接殺す方法であり、効果的な散布が不可欠であり、一部の蟻を殺すだけで、群を弱めるほどの効力が発揮されない場合が多い。
【発明の開示】
【発明が解決しようとする課題】
【０００３】  しかし、従来の方法は蟻を殺すことを目的としたもので、的確に巣穴等に散布することが大切で、徹底した処置をしない限り撲滅は困難である。しかし、本方法では、アブラムシと共生の関係にあることに着目し、蟻を直接殺すことはせず、蟻が生活の糧としている食料循環系を断ち切ることによって、蟻の群自体の勢力を弱めて、撲滅させることを課題とした。
【課題を解決するための手段】
【０００４】  上記課題となる原因として、蟻はアブラムシと共生している。樹木の葉はアブラムシの増殖の場であり、蟻にとっては畑となっている。また、樹木の根は蟻の営巣となっている。そこで、営巣と畑を結ぶ木の幹に本品を巻き付け、蟻の通路を遮断する。蟻の主たる食料供給元は樹木となっており、これを止め蟻対策をすることにより、周囲の草花のアブラムシ予防にも効果を上げる。
【発明の効果】
【０００５】  蟻とアブラムシとの共生を遮断して、蟻の主要な食料補給を止め、蟻の群の勢力を減弱させるとともにアブラムシの増殖を抑える。群の勢力が減弱すると蟻の大きさは見る見るうちに小さくなり、蟻はいなくなる。
【発明の実施するための最良の形態】
【０００６】  テープ状の上面に蟻が粘着する剤が塗布されて、そのテープの裏面には凹凸のある面に貼り付ける場合に備えて、蟻が通過できる隙間が生じないようにスポンジ状のものが貼り付けてある。スポンジ状の上にも接着剤が塗布されており、通過させないようにする樹木等に貼り付けられるようになっている。
【実施例】
【０００７】  蟻道を作っている幹等に本品を巻き付け、貼り付ける。
【産業上の利用可能性】
【０００８】  殺虫剤などの薬品を使用せずに蟻やアブラムシを防除できる。
【図面の簡単な説明】
【０００９】
【図１】  蟻止め粘着テープを示した平面図である。
【図２】  蟻止め粘着テープを示した断面図である。
【符号の説明】
【００１０】  １  蟻粘着面（表面）
２  スポンジ
３  スポンジの接着面（裏面）
【図１】
2007215524.tif 000003
【手続補正書】
【提出日】平成18年4月20日(2006.4.20)
【手続補正１】
【補正対象書類名】明細書
【補正対象項目名】０００９
【補正方法】変更
【補正の内容】
【０００９】
【図１】蟻止め粘着テープを示した平面図である。
(57)【要約】【課題】  野外材料におけるサルモネラ分離には、最もハーナテトラチオン酸塩培地（ＨＴＴ）が用いられている。この従来の方法では２４時間後の培養、１週間後の遅延二次培養と２回の培養をしなければ、正確な結果が得られないことから、判定までの時間と手間がかかった。そこで、判定までの時間短縮と省力化を課題とした。【解決手段】  誘導管の底部管にハーナテトラチオン酸塩培地（ＨＴＴ）を入れ、中部管に胆汁酸加ペプトン０．６〜０．８％寒天培地を充填してあり、その上部管に材料を投入する仕組みとなっており、居雑物がＨＴＴに直接入らないようにしたものである。胆汁酸加ペプトン水で腸内細菌系の菌を増殖させ、運動性のある細菌すなわちサルモネラ、大腸菌等を０．６〜０．８％寒天内を泳がせＨＴＴに導いて、ＨＴＴを選択性を確保でした中で、サルモネラを増菌して検出率を高めようとしたものである。【選択図】図１
2007215525.tif 000002
【特許請求の範囲】
【請求項１】
誘導管は三段になっていて、底部管にはハーナテトラチオン酸塩培地（ＨＴＴ）を入れ、中部管には胆汁酸加ペプトン０．６〜０．８％寒天培地（またはペプトン寒天培地）を充填し、上部管には材料とペプトン水または胆汁酸ペプトン水を混合して投入できる仕組みとなっている。各段ごとに取り付け、取り外しが可能となっていている。
サルモネラは寒天内を通過してＨＴＴに到達するが、居雑物はＨＴＴに直接入らないことから、ＨＴＴの選択性が減ずることがないため、サルモネラの検出率は高まる。
【発明の詳細な説明】
【技術分野】
【０００１】  本発明は、誘導管の底部管にハーナテトラチオン酸塩培地（ＨＴＴ）を入れ、胆汁酸加ペプトン０．６〜０．８％寒天培地が充填されている中部管を取り付け、上部管に検査材料を投入して中部管に取り付ける。誘導管のＨＴＴが入っている底部管をウオータバスなどにより４０〜４３℃、２４時間培養する。次に、誘導管のＨＴＴを１エーゼを採り、サルモネラ選択培地に画線と抹することにより、サルモネラを効率的に分離するための技術に関するものである。
【背景技術】
【０００２】  従来は、ＨＴＴに材料を投入し、４０〜４３℃、２４時間培養後、１エーゼ採り、選択培地に画線と抹を行いサルモネラを単離する。さらに、１週間、室温保存したＨＴＴを１：９の割にＨＴＴに投入して、４０〜４３℃、２４時間培養（遅延二次培養法：ＤＳＥ）したものを１エーゼ採り、選択培地に画線と抹を行いサルモネラを単離するという手法であるため判定までの時間と手間がかかった。この方法は一般的なサルモネラの分離として最もよい方法とされ、幅広く利用されている。
【発明の開示】
【発明が解決しようとする課題】
【０００３】  しかし、従来の方法では２４時間培養、１週間後のＤＳＥと２回培養をしなければ、正確な結果が得られないことから、判定までに多くの時間と手間がかかった。そこで、判定までの時間短縮と省力化を課題とした。
【課題を解決するための手段】
【０００４】  上記課題となる原因として、ＨＴＴの２４時間培養の欠点は材料とともに居雑物の混入があるため、ＨＴＴの選択剤の十分な抵抗性を得ることができない。そこで、どうしても１週間後のＤＳＥが必要となっていた。このことから、ＨＴＴと居雑物が混合しなければ１回の培養でサルモネラは分離可能となる。
この解決方法として、０．６〜０．８％寒天で居雑物の混入をくい止め、胆汁酸加ペプトンで腸内細菌系の菌を増殖させ、運動性のある細菌すなわちサルモネラ、大腸菌等を０．６〜０．８％寒天内を泳がせＨＴＴに導いて、ＨＴＴの選択性を確保した中で、サルモネラを増菌させ、検出率を高くしようとしたものである。
【発明の効果】
【０００５】  判定までの時間短縮と省力化を図ることが可能である。
【発明の実施するための最良の形態】
【０００６】  誘導管は三段階になっていて、底部にはＨＴＴを入れ、中部管には胆汁酸加ペプトン０．６〜０．８％寒天培地（またはペプトン寒天培地）を充填し、上部管には材料とペプトン水または胆汁酸ペプトン水を混合して投入できる仕組みとなっている。各段ごとに取り付け、取り外しが可能となっていている。
【実施例】
【０００７】  胆汁酸加ペプトン０．６〜０．８％寒天培地が充填してある中部管と上部管を取り付ける。その上部管にサルモネラ検査材料にペプトン水または胆汁酸加ペプトン水を入れ、液状となった状態の検査材料を上部に流し込む。次に、誘導管のＨＴＴの入っている底部管を中部管に取り付け、この誘導管を４０〜４３℃、２４時間培養する。培養後、中部管と底部管を取り外し、ＨＴＴを１エーゼ採り、サルモネラ選択培地上に画線培養を行いサルモネラを単離培養する。
【産業上の利用可能性】
【０００８】  食品、家畜等のサルモネラ汚染を調べるためには、サルモネラ分離は欠かせない。サルモネラ分離は多くの場合、検体数を多くして検査の確実性を求めることが一般的であるため、どうしても検体数は多くなる。本法により、省力化が可能であることと時間的な短縮が可能となることから、産業上利用される。
【図面の簡単な説明】
【０００９】
【図１】  サルモネラ培養管を示した立面図である。
【符号の説明】
【００１０】  １  材料を投入する上部管
２  寒天培地を充填した中部管
３  ハーナテトラチオン酸塩培地（ＨＴＴ）投入した底部管
４  材料の投入口
【図１】
2007215525.tif 000003
(57)【要約】      （修正有）【課題】これまでペット（犬・猫等）のうんちの処理は悩みの種であった。特に散歩の折りにはその処理に一層困ったが、手を汚さず簡単で、しかも清潔に処理でる本発明品を提供する。【解決手段】紙筒４に切れ目を入れ、折り目３をつけて開閉できるようにした。紙筒にはビニ−ルの手袋形の袋２が接着されており、片手を入れて紙筒を開いたり閉じたりできるようにした。紙筒の一方の切り端には小袋１を付けた。ペット（犬・猫等）のうんちを紙筒を開いて掴み、数が多い場合は紙筒を立てて小袋に落し込む。手袋形の袋の端を裏返して手前に引き、すべてを包み込んで捨てる。【選択図】図１
2007215529.tif 000002
【特許請求の範囲】
【請求項１】
「手袋付き円筒はさみ」ペットの使い捨てうんち取り器
【発明の詳細な説明】
【発明の詳細な説明】
【発明の属する技術的分野】
【０００１】この発明は、紙筒等円筒を利用してペット（犬・猫等）のうんちが簡単にかつ清潔に処理できる器具である。
【背景技術】
【０００２】従来は、このような器具はなかった。
【発明が解決しようとする課題】
【００３】ペットを飼っている人は多いが、ペット（犬・猫等）のうんちの処理は悩みの種であった。特に散歩の折りにはその処理に一層困った。ビニ−ル袋とシャベルは欠かせなかったが、帰ってからそれを洗うのもまた難儀であった。
【課題を解決するための手段】
【０００４】紙筒に切れ目を入れ、左右に開くようにした。紙筒にはビニ−ルの手袋形の袋を接着して、片手を入れて紙筒が開閉できるようにした。ペット（犬・猫等）のうんちを紙筒を開いて掴み、手袋形の袋の端を裏返して手前に引き、すべてを包み込んで捨てる。
【発明を実施するための最良の形態】
【０００５】以下、本発明の実施の形態について説明する。
イ長さ１０ｃｍ程の紙筒に切れ目を入れ、折り目をつけて、開閉できるようにした。紙筒にはビニ−ルの手袋形の袋を接着し、片手を入れて紙筒を開いたり閉じたりできるようにした。
ロ紙筒の一方の切り端には小袋を付けた。ペット（犬・猫等）のうんちを紙筒を開いて掴み、数が多い場合は紙筒を立てて小袋に落とし込む。
ハ手袋形の袋の端を裏返して手前に引き、すべてを包み込んで捨てる。
【発明の効果】
【０００６】ペットを飼っている人は多いが、ペット（犬・猫等）のうんちの処理は悩みの種であった。特に散歩の折りにはその処理に一層困った。本発明品は手を汚さず簡単で、しかも清潔に処理できて重宝である。
【図面の簡単な説明】
【図１】本発明品の形態及び使用図である。
【符号の説明】
１小袋（うんち落し込み用）
２手袋形の袋
３折り目
４紙筒
【図１】
2007215529.tif 000003
(57)【要約】【課題】  海底スレスレに多くの釣り針を配置させようとした時に、ハリスや釣り針が絡みやすいという課題があった。本発明はこれらの課題を解決しようとするものである。【解決手段】  中心軸部に幹糸を取り付け可能とした円筒軸部から２本のワンタッチハリス止めを出し、その方向は中心軸から見た時に一直線上に反対向きになるようにし、なおかつ各々のワンタッチハリス止めを、高さ方向で段差をつけることによりこの課題を解決するものである。【選択図】図１
2007215527.tif 000002
【特許請求の範囲】
【請求項１】
中心軸部に貫通穴等の幹糸を取り付ける機構を持った本体に、金属の弾性を利用してハリスを挟持する方式のハリス止め２個が一体的に成型されたハリス止め機構において、各々の該ハリス止めが中心軸方向から見た時に一直線上で反対向きに配置され、また中心軸方向に１０から１００ミリメートル間隔の段差を持つ事を特徴とする釣り用二段ハリス止め仕掛。
【発明の詳細な説明】
【技術分野】
【０００１】  本発明は釣り用のハリス止め仕掛に関する。
【背景技術】
【０００２】  通常幹糸にハリスを取り付ける場合、ハリスを幹糸に直接結ぶことが多かった。しかしハリスが切れたり、釣り針の先端が刺さりにくくなるとハリスごと交換することも多く、それにはハリスを交換しやすいワンタッチハリス止めの付いたハリス止め仕掛を用いることも多かった。このハリス止めにはいろいろなものがあるが、通常は１個ずつハリス止めが付いた仕掛が多かった。【０００３】  また狙う魚種によっては多くのエサを海底スレスレに保つ必要があったが、仕掛の下の方へ多くの針を配置するとお互いの針やハリス同士が絡まり、魚がエサを食べられなくてその魚が釣れないという現象がおきやすかった。
【発明の開示】
【発明が解決しようとする課題】
【０００４】  幹糸からハリスを何本か出して、その仕掛の下に錘を取り付ける仕掛を一般的に胴付き仕掛というが、例えばカワハギ釣りのように海底スレスレに多くのエサを保った方が良く釣れる場合、ハリス同士の間隔を狭くする必要がある。しかしそうすることによって、ハリス同士、あるいはハリスと針など仕掛の他の部分とが絡んだりするという課題があった。本発明はこれらの課題を解決しようとするものである。
【課題を解決するための手段】
【０００５】  本発明はこれらの課題を解決するため、金属のバネ性を利用してハリスを挟持する方式のワンタッチハリス止めを２個用いてこれらを一体的に成型する。またこれらに取り付けられるハリスの出る方向を互いに最も離れるように構成する。それは図１に示す通り一直線上に反対向きである。【０００６】  またハリスが長いと、それでもハリス同士が絡むことがあるので、この場合はハリス止めが出る高さを図２のように段違いにすることによって、その分ハリス同士が離れ、これを解決できる。
【発明の効果】
【０００７】  本発明品を使用することにより、仕掛が絡むことなく多くのエサを海底近くに保つことができるようになり、カワハギなどの海底スレスレでエサを食う魚が釣りやすくなるという効果がある。
【発明を実施するための最良の形態】
【０００８】  本発明品は図２における中心軸となる幹糸を通す貫通穴２を長手方向にもつ円筒体を基本とする。中心軸部の上下両端に環状の取り付け部を持ち、そこに幹糸を結べるようにしても良い。そこから２個のステンレス等のバネ性を持った金属でハリスを挟持するように構成されたワンタッチハリス止め３を中心軸方向から見た時、図１に示されるとおりように互いに最も離れるよう一直線上に反対向きに配置する。また各々のワンタッチハリス止めは図２のように円筒体の長手方向に段違いに配置する。その段差はハリスが絡みにくい状況なら１０ミリメートルほどの少なさでもよいが、ハリスが長めの時は最大１００ミリメートルくらいにするのがよい。それ以上だと底スレスレにエサを保つ目的が失われる。
【実施例】
【０００９】  本発明品は上下に環状の取り付け部を設けても良いのだが、図３のように中心部に幹糸用の穴２を設けてその穴に幹糸４を通し、本発明品の上下で結びコブを造って位置を固定する、あるいは別の糸を本発明品に固定してそれを幹糸に編み込んで移動可能に取り付けてもよい。こうすることによって幹糸用の穴を中心にハリス止め仕掛を回転可能に取り付けたり、上下移動可能にすることができる。各々のハリス止めにはハリス５を取り付け、そのハリスには釣り針６を取り付ける。幹糸の下端には錘７を取り付けて仕掛全体を構成する。
【産業上の利用可能性】
【００１０】  本発明品はカワハギ釣り等の海底近くで捕食する魚類を釣る場合に有効な釣り用仕掛として利用できる。
【図面の簡単な説明】
【００１１】
【図１】  上面図
【図２】  側面図
【図３】  本発明品を含む仕掛全体を示す斜視図
【符号の説明】
【００１２】  １  中心軸部本体
２  幹糸用穴
３  ワンタッチハリス止め
４  幹糸
５  ハリス
６  釣り針
７  錘
【図１】
2007215527.tif 000003
【図２】
2007215527.tif 000004
【図３】
2007215527.tif 000005
(57)【要約】      （修正有）【課題】長距離運転や深夜運転中に睡魔に襲われることを防止する、居眠り防止パイプを提供する。【解決手段】挿入部１２の内部に香味料等の収蔵庫を備え、吸口部１５に設けた吸引孔の断面積を上下幅を細く、左右幅を長くしたパイプにおいて、パイプ挿入部１２の先端に挿入穴７とその穴台６を設け、首かけひも８を通す。【効果】運転中このパイプを口に銜えて、上下歯をしっかり噛み合わせ、反復使用していると居眠を防止できる。また、このパイプが口から落ちても、首かけひも８があるので安心である。【選択図】図１
2007215536.tif 000002
【特許請求の範囲】
【請求項１】
図面に示すとおり、居眠防止パイプに収蔵庫１７と、首かけひも８を設け、吸引孔１６を細長くしたことを特徴とする居眠防止パイプの構造。
【発明の詳細な説明】
【発明の詳細な説明】
本発明は、首かけひも８つき収蔵庫１７をもつ居眠防止パイプ（商品名）に関するものである。特に長巨離運転や、深夜運転中突然睡魔に襲われることがある。本発明は、この居眠運転防止のためなされたものでこれを図面によつて説明すると、パイプ差込部１、３をパイプ挿入部１２に差込み居眠防止パイプを組立る。香味品等を入れる収蔵庫１７はパイプ差込部に収蔵庫壁４と、吸引孔１６、パイプ挿入部にある収蔵庫壁１３、同１４、と吸引孔１６を組み合せ完成する。運転中に使用するこのパイプが口から落ちた時、探すことは運転中の前方不注意になるので、パイプ挿入部１２の先端に首かけひも８をとおす挿入穴７とその穴台６を設け首かけひも８、収蔵庫１７をもつ居眠防止パイプが完成する。
【背景技術】喫煙パイプを考察すると紙巻煙草に使用する喫煙パイプ、葉煙草喫煙に使用するマドロスパイプ、きざみ煙草を喫煙するキセルパイプ等があり車運転中の居眠防止効果は喫煙よりむしろパイプ使用効果にあると体験をとおして実感した。
【発明が解決しようとする課題】
人の歯を上、下反復して噛み合せていると科学的根拠は不詳だが脳の作用で眠らない効果があることを体験した。これを持続させる条件として口に銜えるパイプ利用を考えた。居眠防止向上のため香味品等を入れる収蔵庫１７をパイプ内に設け、運転中はパイプを口に銜えて使用する。使用中パイプが口から落ちた時、下を向いて拾うことは運転中の前方不注意になるので落ちないよう首かけひも８を設けた。
【課題を解決するための手段】
居眠防止パイプを首にかけ、運転席につくと、心理的効果が認められる。（交通安全お守的存在か）
【発明の実施形態】
通常の運転は勿論、長巨離運転や、深夜運転中居眠防止パイプを口に銜えて使用していると収蔵庫１７に入れてある香味品の使用効果や首かけひも８のある落ちても直ぐ拾える安心感ある居眠防止パイプの使用効果がある。
【発明の効果】
運転中、いかなる巨離でも、深夜でもこの居眠防止パイプを使用していると居眠防止が全うできる効果が得られる。
【産業上の利益の可能性】
原価安の居眠防止パイプを適時使用し交通事故を事前に防止できたとすれば計り知れない価値ある居眠防止パイプと言える。
【図面の簡単な説明】
【図１】            居眠防止パイプ完成斜視図
【図２】            居眠防止パイプの一部断面図
【図３】            居眠防止パイプの一部側面図
【図４】            居眠防止パイプの一部上斜視図
【図５】            居眠防止パイプの一部下斜視図
【符号の説明】
符号１        居眠防止パイプの差込先端図
符号３        居眠防止パイプの差込図
符号４        居眠防止パイプの差込内壁図
符号６        居眠防止パイプのかけひも通し穴台図
符号７        居眠防止パイプのかけひも通し穴図
符号８        居眠防止パイプのかけひも図
符号１２      居眠防止パイプの挿入部図
符号１３      居眠防止パイプの挿入部収蔵庫内壁図
符号１４      居眠防止パイプの挿入部収蔵庫内壁図
符号１５      居眠防止パイプ吸口部図
符号１６      居眠防止パイプの吸引孔図
符号１７      居眠防止パイプの収蔵庫図
【図１】
2007215536.tif 000003
【図２】
2007215536.tif 000004
【図３】
2007215536.tif 000005
【図４】
2007215536.tif 000006
【図５】
2007215536.tif 000007
(57)【要約】【課題】  断熱材の付着したコップを、コップの側面のみでコップを支える形態のカップフォルダで使用する場合、断熱材の影響によりコップとカップフォルダがくっ付いてしまった。断熱性を大きく損なうことなくこれを解消する断熱性コップを提供する。【解決手段】  コップの側面のカップフォルダに接する部分以外に、断熱材を付着させた断熱性コップを特徴とする。【選択図】図１
2007215974.tif 000002
【特許請求の範囲】
【請求項１】
コップの側面のカップフォルダに接する部分以外に断熱材を付着させた断熱性コップ。
【発明の詳細な説明】
【技術分野】
【０００１】  本発明は、コップの一部に断熱材を付着させた、断熱性コップに関するものである。
【背景技術】
【０００２】  従来から側面に断熱材を付着させて断熱効果を高めたコップがあった。
【発明の開示】
【発明が解決しようとする課題】
【０００３】  これには、次のような問題点があった。
コップの側面のみでコップを支える形態のカップフォルダで使用する場合、カップフォルダとの接触部分において、断熱材が飲み物の重さで圧縮されて変形し、更に断熱材の粘着性によりコップがカップフォルダ内側にくっついてしまう事が多かった。この場合取り出すには相当量の力が必要であり、弾みで飲み物をこぼしてしまう事が多かった。
本発明は、これらの問題を解決するためになされたものである。
【課題を解決するための手段】
【０００４】  コップの側面のカップフォルダに接する部分以外に断熱材を付着させる。
本発明は、以上を特徴とする断熱性コップである。
【発明の効果】
【０００５】  本発明により、カップフォルダ使用時コップ本体のみがカップフォルダと接する。従って、断熱材とカップフォルダがくっ付くことは無い。これにより、カップフォルダから容易に当該コップを取り出すことが可能である。また、断熱材が付着していない部分が少ないために断熱効果を大幅に低下させることは無い。
更に、断熱材の使用量も減少させることが出来る。
【発明を実施するための最良の形態】
【０００６】  以下、本発明の実施の形態について説明する。
コップ（１）の側面のカップフォルダ（２）に接する部分以外に断熱材（３）を付着させる。
本発明は以上のような構成である。
【図面の簡単な説明】
【０００７】
【図１】本発明の斜視図
【図２】本発明の使用状態を示す側面図
【図３】本発明の要部拡大断面図
【符号の説明】
【０００８】      １  コップ
２  カップフォルダ
３  断熱材
【図１】
2007215974.tif 000003
【図２】
2007215974.tif 000004
【図３】
2007215974.tif 000005
(57)【要約】【課題】  災害時に有害物質を吸い込まないように、伸縮する蛇腹状の空気容器を提供する。【解決手段】  筒（１）の側面を伸縮可能な蛇腹状（２）にして、一端を蓋（３）で閉じ、もう一端にパッキン（４）を設けた空気容器を特徴とする。【選択図】図１
2007215973.tif 000002
【特許請求の範囲】
【請求項１】
筒（１）の側面を伸縮可能な蛇腹状（２）にして、一端を蓋（３）で閉じ、もう一端にパッキン（４）を設けた伸縮空気容器。
【発明の詳細な説明】
【技術分野】
【０００１】  本発明は、伸縮する蛇腹状の空気容器に関するものである。
【背景技術】
【０００２】  従来、災害時などに有害物質を吸い込まないためには、ハンカチや手で口と鼻を覆っていた。
【発明の開示】
【発明が解決しようとする課題】
【０００３】  そのために、次のような問題点があった。
ハンカチなどの布や手で口と鼻を覆っても有害物質は繊維や手の隙間を通り抜けてしまい、その結果、有害物質を吸ってしまった。
本発明は以上のような問題点を無くすためになされたものである。
【課題を解決するための手段】
【０００４】  筒の側面を伸縮可能な蛇腹状にして、一端を蓋で閉じ、もう一端にパッキンを設ける。本発明は、以上の構成よりなる空気容器である。
【発明の効果】
【０００５】  蛇腹を縮めてから伸ばすことにより、今まで入っていた空気が瞬時に排出されて新たに周囲の空気が瞬時に筒内に入る。この中の空気だけで数分間の呼吸が可能である。
これにより災害時、有害物質のある場所を通る前に本発明内部に空気を入れておき、口と鼻をパッキンで覆うように本発明を密着させれば、有害物質を吸い込むことは無い。
これは、筒の側面が蛇腹状であるために、呼吸により本発明内部の空気容量が変化した場合も、蛇腹が伸縮して一定の空気圧を保てる。従って、パッキンと顔の間から空気が出入りすることが無い。また呼吸もし易い。
呼吸により酸素が少なくなった場合には、同様の操作を繰り返すことにより長時間の移動も可能となる。
更に、蛇腹を縮めておけば小さくなり保管に広い場所を必要としない。
【発明を実施するための最良の形態】
【０００６】  以下、本発明の実施の形態について説明する。
筒（１）の側面を蛇腹状（２）にして伸縮可能にする。この筒の一端を蓋（３）で閉じ、もう一端にはパッキン（４）を設ける。
本発明は以上のような構成であり、これを使用するときは筒を縮めてから伸ばし、パッキンで口と鼻を覆うようにして顔に密着させ呼吸すればよい。
【図面の簡単な説明】
【０００７】
【図１】本発明の斜視図
【符号の説明】
【０００８】      １  筒
２  蛇腹
３  蓋
４  パッキン
【図１】
2007215973.tif 000003
(57)【要約】【課題】本発明は、シリンジの押し子がプッシャー部にあるかないかを検知する機能を設けたシリンジポンプに関するものである。【解決手段】シリンジポンプ１のプッシャー部２にフォーク３がまっすぐ移動でき、シリンジ押し子を保持するときにフォークを横に広げるフォーク溝７を設け、そのフォーク溝７に沿って動くピンを設けたフォーク３をプッシャー部に設け、フォーク３の位置検出を行う検出器８をプッシャー部２に設け、フォーク３を定位置にするバネ１０を設ける。【選択図】図６
2007215977.tif 000002
【特許請求の範囲】
【請求項１】
（イ）シリンジポンプ１のプッシャー部２にフォーク３がまっすぐ移動でき、シリンジ押し子を保持するときにフォークを横に広げるフォーク溝７を設け、そのフォーク溝７に沿って動くピンを設けたフォーク３をプッシャー部に設ける。
（ロ）フォーク３の位置検出を行う検出器８をプッシャー部２に設ける。
（ハ）フォーク３を定位置にするバネ１０を設ける。
以上の如く構成されたシリンジ押し子有無検知機能付きシリンジポンプ。
【請求項２】
フォーク３の位置検出を行う検出器８をシリンジポンプ１内部に設けた請求項１のシリンジ押し子有無検知機能付きシリンジポンプ。
【発明の詳細な説明】
【技術分野】
【０００１】  本発明は、シリンジの押し子がプッシャー部にあるかないかを検知する機能を設けたシリンジポンプに関するものである。
【背景技術】
【０００２】  厚生労働省が音頭取りを行い、企画要求化された医療安全対策ガイドラインに、押し子外れ対策がある。主旨は、シリンジ押し子が押し子受けから外れる、又は押し子保持部にシリンジ押し子部が掛けられていないと、陰圧等により急速注入（サイフォニング現象）する危険性があるため、それを防止する手段として設けられた。
押し子保持部にシリンジ押し子部が掛けられていないと急速注入が発生することは、３０年前からでも認知されていた。そのため、旧タイプのシリンジポンプでもフォーク形状なるもので押し子外れ制限を設けていた。サイフォニング現象の危険性は認知されていたにも拘らず、サイフォニング現象対策としては、フォークに掛ければ十分だろうという考え方から特別な対策を取ってこなかった。最近のリスクマネジメント手法では、予め危険因子を認知し、その対策を施すことでリスクを低減させる考え方が重要になってきた。そのため、従来からの安全対策に対する見方と考え方が変わってきている。
現在、多くの機器メーカーが行っているサイフォニング現象対策として、シリンジポンプの押し子受けにタッチセンサーが付加してある。これは、「押し子セット時に、押し子受けにシリンジ押し子がついていなければ、シリンジポンプが動作してはならない」と、製造承認要求の一部として設けられた対応である。
しかし、多くの機器メーカーが行っている押し子受けにタッチセンサーを付加する方法には問題がある。
多くの機種は、タッチセンサーの先端が押し子面を押す様にセットされるが、この状態では押し子とプッシャー部に隙間が生じる。この隙間がある状態で輸液を開始すると、しばらくの間は輸液されない。
タッチセンサーの当たりを弱くすると、薬液固着等が原因で、タッチセンサーが動かなくことが考えられる。最悪、シリンジ押し子がシリンジ押し子受けに当たってないのに、シリンジ押し子が当たっていると認識され、重大な事故を招く恐れが強くなるし、押し子への当たりを強くすると前記の現象が発生し易くなり、吐出圧が変化するような使用条件下では、精度の良い輸液はできなくなくなる。
以上より、シリンジ押し子と押し子受けのセット時のギャップを無くし、かつ、シリンジ押し子の検出をタッチセンサーではなく、別の方法で検知できる手段を講じる必要がある。
【発明の開示】
【発明が解決しようとする課題】
【０００３】  以上より、本発明は、シリンジ押し子と押し子受けのセット時のギャップを無くし、かつ、シリンジ押し子の検出をタッチセンサーではなく、別の方法で検知できる手段を講じるためになされたものである。
【課題を解決するための手段】
【０００４】  いま、その構成を説明すると、
（イ）シリンジポンプ１のプッシャー部２にフォーク３がまっすぐ移動でき、シリンジ押し子を保持するときにフォークを横に広げるフォーク溝７を設け、そのフォーク溝７に沿って動くピンを設けたフォーク３をプッシャー部に設ける。
（ロ）フォーク３の位置検出を行う検出器８をプッシャー部２に設ける。
（ハ）フォーク３を定位置にするバネ１０を設ける。
以上のように装置する。
【発明を実施するための最良の形態】
【０００５】  次に本発明の実施の形態を述べると、
フォーク３を押し出すとフォーク３に設けられたピン６がフォーク溝７のまっすぐな部分に沿ってまっすぐに動き、さらに押し出すとフォーク溝７の曲がりの部分にピン６が到達しフォーク３が横に広がり始める。押し出しをやめるとバネ１０により定位置にフォーク３が戻る。
ここでシリンジ押し子９がある場合は、フォーク３は定位置に戻らず、シリンジ押し子９の厚み分だけ定位置より手前に停止する。この位置を検出器８が検知し、シリンジの有無を判断することができる。
また、フォーク３は、バネ１０により常に定位置に戻ろうとするのでシリンジの押し子９をしっかりつかみ、シリンジ押し子９とプッシャー部２に隙間が生じず、輸液を開始すると、すぐに輸液が開始される。
なお、検出器１０をシリンジポンプ１本体内部に付けてフォーク３の移動、停止位置を機械的に入力することで同じことができる。
【発明の効果】
【０００６】  したがって、シリンジ押し子と押し子受けのセット時のギャップを無くし、かつ、シリンジ押し子の検出がタッチセンサーでないので、薬液固着による事故が回避できるシリンジポンプである。
【図面の簡単な説明】
【０００７】
【図１】    本発明のシリンジポンプの上面図
【図２】    本発明のシリンジポンプの正面図
【図３】    プッシャー部シリンジ押し子なしの斜視図
【図４】    プッシャー部シリンジ押し子ありの斜視図
【図５】    フォークの斜視図
【図６】    プッシャー部カバーを外した上面図
【図７】    フォーク動作図
【図８】    フォーク定位置Ａ−Ａ’断面図
【図９】    シリンジ押し子ありフォーク位置Ａ−Ａ’断面図
【図１０】    従来のタッチセンサー付きプッシャー部斜視図
【符号の説明】
【０００８】  １はシリンジポンプ
２はプッシャー部
３はフォーク
４はプッシャー部カバー
５はレバー
６はフォーク溝に沿って動くピン
７はフォーク溝
８は検出器
９はシリンジ押し子
１０はフォークを定位置に戻すバネ
１１はタッチセンサー
【図１】
2007215977.tif 000003
【図２】
2007215977.tif 000004
【図３】
2007215977.tif 000005
【図４】
2007215977.tif 000006
【図５】
2007215977.tif 000007
【図６】
2007215977.tif 000008
【図７】
2007215977.tif 000009
【図８】
2007215977.tif 000010
【図９】
2007215977.tif 000011
【図１０】
2007215977.tif 000012
(57)【要約】【課題】本発明は、従来の簡単ドリップコーヒーはカップにコーヒーが落ちるまでに、包装紙より袋を破き、コーヒー粉袋を取出し又破いて、カップにセットした。この時コーヒー粉袋が破られて、コーヒーが飛び出したり、又セットが上手くいかず、お湯をこぼしたりという問題が有りました。ドリップが終わった時点で、又粉袋を取り出し、破棄する場所も選び、このように無駄な行程が多かったり、不安定だったりしていました。故に、スピーディーに又コーヒー粉袋を捨てる場所を探さなくてもドリップコーヒーを飲めるドリップ一体化カップを提供します。【手段】カップの上部にコーヒー粉袋が装着してあり、蓋を押し湯を注ぐだけの一手間でドリップコーヒーが飲めるようになる。【選択図】図２
2007215972.tif 000002
【特許請求の範囲】
【請求項１】
コップ本体とドリップ部分が一体化されている為、コーヒー袋等のセットの手間が要らずスピーディーにコーヒーが飲める。
【請求項２】
蓋を開けて、お湯を注げば簡単に本格ドリップコーヒーが飲める。
【請求項３】
コーヒー袋のミシン目部分を、簡単に指で押し、請求項２で本格コーヒーが飲める。
【請求項４】
蓋の部分は紙製で、使用後はそのままカップと一体で可燃ゴミとして捨てられるため環境に優しい。
【請求項５】
蓋部分のみを、一般的なコーヒーカップ等に乗せてドリップする事も可能。
【発明の詳細な説明】
【技術分野】
【０００１】本発明は、場所を選ばず、お湯さえ有れば、本格ドリップコーヒーが飲める。
【背景技術】
【０００２】従来のドリップコーヒーは、カップとコーヒーの粉袋部分の、一体型が無かった。
【発明の開示】
【発明が解決しようとする課題】
【０００３】ドリップコーヒーを飲む場合、ドリップ専用コーヒー粉袋を開きカップ等に置きその上からお湯を注ぎ、上部のコーヒーの粉袋等を、その度に捨てなければならず手間が掛かる為、本発明はこの手間の省略点を解決する為になされたもので有る。
【発明が解決しようとする手段】
【０００４】蓋の部分に、コーヒーの粉袋を装着する事により、ミシン目を指で押し蓋を下げるとコーヒーの粉袋の上部が同時に開封され、その部分よりお湯を注ぐと本格ドリップコーヒーが出来上がる。そして、その蓋の部分を下へさげてドリップ口をふさぎ、反対側の飲み口より簡単に飲む事が出来る。
【発明の効果】
【０００５】本発明を使用する事により簡単に無駄が無く又、コーヒー袋を捨てる場所を探さなくてよく、お湯さえ有れば本格ドリップコーヒーを味わえ環境にも配慮した発明で有る。
【発明を実施するための最良の形態】
【０００６】以下、本発明の形態を説明する。（イ）  （５）の蓋部分を密封している、上面と下面の（ｇ）のフイルムを剥がして（ｆ）の位置に合わせて（６）のカップに装着する。（ロ）  蓋上部の山形に飛びでた（ａ）のミシン目を下に押さえ、その隙間から指を入れ（ｂ）の蓋を引き上げる。（ハ）  （ｂ）を上げると同時に重なっていたコーヒー粉袋の上部（ｃ）と（ｄ）が開封される。（ニ）  （３）の注ぎ口から適量のお湯を注ぎ（ｂ）を下げる。（ホ）  （３）から注いだお湯が（４）のコーヒー粉袋を通り（６）のカップにコーヒーが落ちる。（ヘ）  （ｅ）のミシン目を押し下げると（１）が飲み口になる。本発明は以上の構成よりなる。本発明を使用する場合は、（ａ）のミシン目を押し、その指で（ｂ）を引き上げる。この時（ｃ）と（ｄ）が切り離される。（３）よりお湯を注ぐと（４）を通過して（６）に溜まる（ｅ）を押し下げると、飲み口になる。
【図面の簡単な説明】
【０００７】
【図１】本発明の平面図
【図２】本発明の斜視図
【図３】本発明の断面図
【符号の説明】
【０００８】（１）飲み口、（２）蓋、（３）お湯注ぎ口、（４）コーヒー粉袋、（５）蓋本体、（６）カップ  （ａ）お湯注ぎ蓋用開封口、（ｂ）お湯注ぎ蓋、（ｃ）（ｄ）コーヒー粉袋用接着面  （ｅ）飲み口用蓋、（ｆ）カップ位置、（ｇ）、密封用フイルム
【図１】
2007215972.tif 000003
【図２】
2007215972.tif 000004
【図３】
2007215972.tif 000005